(57)【要約】【課題】遊技領域の面積に対して球移送装置が占める面積の割合を小さくし、遊技領域の設計自由度を高めるとともに技術の多様化を図ること。【解決手段】第１左側螺旋状球受溝２０ｂ及び第１右側螺旋状球受溝３０ｂは、左側円柱状回転体２０及び右側円柱状回転体３０の回転中、互いに共同して、遊技球１００を遊技盤面寄りの位置で受け止め、遊技球１００を支持しながら遊技盤面前方の第１所定位置Ｐ１まで移送し、第１所定位置Ｐ１で落下させ、また、第２左側螺旋状球受溝２０ｃ及び第２右側螺旋状球受溝３０ｃは、左側円柱状回転体２０及び右側円柱状回転体３０の回転中、互いに共同して、落下してきた遊技球１００を遊技盤面寄りの位置で受け止め、遊技球１００を支持しながら遊技盤面前方の第２所定位置Ｐ２まで移送し、第２所定位置Ｐ２で落下させる。【選択図】図１
2005111071.tif 000002
【特許請求の範囲】
【請求項１】
遊技盤面の遊技領域内で落下してきた遊技球を受け止め、所定位置まで移送した後、該所定位置で落下させるパチンコ遊技機の球移送装置であって、
並列配置された左右一対の円柱状回転体を備え、
左側円柱状回転体の外周面に少なくとも２つの第１、第２左側螺旋状球受溝が形成されているとともに、右側円柱状回転体の外周面に第１、第２左側螺旋状球受溝の螺旋方向とは反対の螺旋方向を有する少なくとも２つの第１、第２右側螺旋状球受溝が形成されており、
第１左側螺旋状球受溝及び該第１左側螺旋状球受溝に対向配置された第１右側螺旋状球受溝は、左側円柱状回転体及び右側円柱状回転体が互いに反対方向へ回転駆動される回転中、互いに共同して、落下してきた遊技球を受け止め、該遊技球を支持しながら第１所定位置まで移送し、該第１所定位置で落下させるよう構成され、
また、第２左側螺旋状球受溝及び該第２左側螺旋状球受溝に対向配置された第２右側螺旋状球受溝は、左側円柱状回転体及び右側円柱状回転体が互いに反対方向へ回転駆動される回転中、互いに共同して、落下してきた遊技球を受け止め、該遊技球を支持しながら第２所定位置まで移送し、該第２所定位置で落下させるよう構成される
ことを特徴とするパチンコ遊技機の球移送装置。
【請求項２】
第２左側螺旋状球受溝及び／又は第２右側螺旋状球受溝は、第２所定位置において互いの間隙が遊技球の直径よりも大きくなる段差部を有していることを特徴とする請求項１記載のパチンコ遊技機の球移送装置。
【請求項３】
第１所定位置及び第２所定位置は、下方の入賞口への遊技球の入賞確率を異ならせる位置にあることを特徴とする請求項１又は２記載のパチンコ遊技機の球移送装置。
【発明の詳細な説明】
【技術分野】
【０００１】
本発明は、パチンコ遊技機の球移送装置、特に、遊技盤面の遊技領域内で落下してきた遊技球を受け止め、所定位置まで移送した後、該所定位置で落下させるパチンコ遊技機の球移送装置に関する。
【背景技術】
【０００２】
従来から、遊技盤面の遊技領域内において、遊技球の挙動に変化を与えることなどを目的とした球移送装置が提案されており、例えば特許文献１には、前後一対の回転棒状部材を互いに反対方向へ回転駆動することにより、一対の回転棒状部材で支持している遊技球の落下位置を予測不能なものにする球移送装置が開示されており、また、特許文献２には、円柱状部材を回転駆動することにより円柱状部材の螺旋溝に遊技球を係留しながら所定位置から他の所定位置まで移送するようにした球移送装置が開示されている。
【特許文献１】特開２００３−１２６３９６公報
【特許文献２】特開２００１−９１０６公報
【発明の開示】
【発明が解決しようとする課題】
【０００３】
しかし、上記いずれの球移送装置も、遊技盤面に沿った左右方向に遊技球を移送させるものであり、遊技盤面の遊技領域が占める面積に対する球移送装置が占める面積の割合が大きい。そのため、残された遊技領域の面積が狭くなり、遊技領域の設計自由度が低くならざるを得ないという問題がある。
【０００４】
本発明は、上記のような問題を解決し、遊技領域の面積に対して球移送装置が占める面積の割合を小さくし、遊技領域の設計自由度を高めるとともに、技術の多様化を図ることを目的としている。
【課題を解決するための手段】
【０００５】
本発明によるパチンコ遊技機の球移送装置は、遊技盤面の遊技領域内で落下してきた遊技球を受け止め、所定位置まで移送した後、該所定位置で落下させるパチンコ遊技機の球移送装置であって、並列配置された左右一対の円柱状回転体を備え、左側円柱状回転体の外周面に少なくとも２つの第１、第２左側螺旋状球受溝が形成されているとともに、右側円柱状回転体の外周面に第１、第２左側螺旋状球受溝の螺旋方向とは反対の螺旋方向を有する少なくとも２つの第１、第２右側螺旋状球受溝が形成されており、第１左側螺旋状球受溝及び該第１左側螺旋状球受溝に対向配置された第１右側螺旋状球受溝は、左側円柱状回転体及び右側円柱状回転体が互いに反対方向へ回転駆動される回転中、互いに共同して、落下してきた遊技球を受け止め、該遊技球を支持しながら第１所定位置まで移送し、該第１所定位置で落下させるよう構成され、また、第２左側螺旋状球受溝及び該第２左側螺旋状球受溝に対向配置された第２右側螺旋状球受溝は、左側円柱状回転体及び右側円柱状回転体が互いに反対方向へ回転駆動される回転中、互いに共同して、落下してきた遊技球を受け止め、該遊技球を支持しながら第２所定位置まで移送し、該第２所定位置で落下させるよう構成されることを特徴とする。
【０００６】
本発明の球移送装置によると、遊技球を遊技盤面の前後方向へ移送する構成を採用することにより、遊技領域の面積に対して球移送装置が占める面積の割合を小さくすることができ、遊技領域の設計自由度を高めることができる。また、本発明の球移送装置は、上記のような新規な構成であるため、技術の多様化を図ることができる。
【０００７】
第２左側螺旋状球受溝及び／又は第２右側螺旋状球受溝は、第２所定位置において互いの間隙が遊技球の直径よりも大きくなる段差部を有しているため、この第２所定位置に移送されてきた遊技球は、段差部によって形成される間隙を介して落下するようになる。
【０００８】
第１所定位置及び第２所定位置は、下方の入賞口への遊技球の入賞確率を異ならせる位置にあるため、移送されてきた遊技球が第１所定位置に到達するのか、あるいは、第２所定位置に到達するのかによって、入賞口への入賞確率が異なることとなり、遊技者の興趣を高めることができる。
【発明を実施するための最良の形態】
【０００９】
以下、本発明の実施形態を図面に基づいて説明する。
【００１０】
図１は、一実施形態に係る球移送装置を中央部に有する球通路装置の斜視図、図２は、球通路装置の平面図、図３は、球通路装置の正面図、図４は、球通路装置の右側面図、図５は、左右一対の円柱状回転体の斜視図をそれぞれ示す。
【００１１】
図１〜図５において、球通路装置１は、図示しないパチンコ遊技機の遊技盤の所定位置、例えば遊技盤中央部の図柄表示装置の真下でしかも入賞口の真上に配置される。
【００１２】
球通路装置１は、遊技盤面寄りに左右対称な一対の上段通路部２，３を備えるとともに、上段通路部２，３の前端より前方に左右対称形の下段通路部４を備える。上段通路部２，３は左右一対の前壁部２ａ，３ａを有し、各々の前壁部２ａ，３ａの一部に切欠部２ｂ，３ｂが形成されている。この切欠部２ｂ，３ｂは、上段通路部２，３に案内されてきた遊技球１００の一部を下段通路部４に落下させる作用をする。また、上段通路部２，３の左右方向中央部の間隙の下方には球移送装置１０が配設されている。球移送装置１０は、上段通路部２，３に案内されてきた遊技球１００の一部を受け止め、前方の所定位置まで移送し、この所定位置から下段通路部４へ落下させる作用をする。下段通路部４は前壁部４ａを有し、前壁部４ａの左右方向中央部に切欠部４ｂが形成されている。この切欠部４ｂは、下段通路部４に案内されてきた遊技球１００を落下させる作用をする。下段通路部４の通路面の左右方向中央部に、左右一対のリブ４ｃ，４ｄからなるゲート部４ｅが形成されている。下段通路部４に案内されてきた遊技球１００は、このゲート部４ｅを通過することによって左右方向位置が一定化され、その後ほぼ真っ直ぐに前方へ向かって移動し、球通路装置１の下方に配置された図示しない入賞口に向かって落下することによって入賞口へ入賞しやすくなる。
【００１３】
球移送装置１０は、上段通路部２，３の前壁部２ａ，３ａから前方へ左右対称形に突出形成されたカバー部１１を備え、カバー部１１の前端に軸受板部１２が遊技盤面に対し平行に形成されている。カバー部１１の内側空間及び上段通路部２，３の左右方向中央部の間隙に、左右一対の円柱状回転体２０，３０が水平に並列配置して収容されている。図５に示すように、各円柱状回転体２０，３０は軸孔２０ａ，３０ａを有し、この軸孔２０ａ，３０ａにピン２１，３１が圧入されている。ピン２１，３１の両端は、カバー部１１側の軸受板部１２と球通路装置１の後壁部５側とによって回転自在に軸支されている。各ピン２１，３１の後部側は、噛合状態の各歯車２２，３２に圧入されている。一方のピン２１は、図示しない回転駆動源例えばモータによって回転駆動される。このピン２１が図示矢印ａ方向に回転駆動されると、このピン２１に直結された左側円柱状回転体２０が図示矢印ａ方向に回転し、また、歯車２２，３２及びピン３１を介して右側円柱状回転体３０が図示矢印ｂ方向（矢印ａ方向とは反対方向）に回転する。
【００１４】
左側円柱状回転体２０の外周面には、少なくとも２つの第１、第２左側螺旋状球受溝が形成されている（図１〜図５に示す左側円柱状回転体２０では第１、第２、第３左側螺旋状球受溝２０ｂ，２０ｃ，２０ｄの３つである）。また、右側円柱状回転体３０の外周面には、左側円柱状回転体２０の第１、第２左側螺旋状球受溝の螺旋方向とは反対の螺旋方向を有する少なくとも２つの第１、第２右側螺旋状球受溝が形成されている（図１〜図５に示す右側円柱状回転体３０では第１、第２、第３右側螺旋状球受溝３０ｂ，３０ｃ，３０ｄの３つである）。第１、第２、第３左側螺旋状球受溝２０ｂ，２０ｃ，２０ｄは、それぞれ第１、第２、第３右側螺旋状球受溝３０ｂ，３０ｃ，３０ｄと対向配置されている。
【００１５】
第１左側螺旋状球受溝２０ｂ及び第１右側螺旋状球受溝３０ｂは、後端から前端（第１所定位置Ｐ１）にわたって同一半径を有している。第１左側螺旋状球受溝２０ｂと第１右側螺旋状球受溝３０ｂとの間隔は、遊技球１００の直径よりも小さな値に設定されており、第１左側螺旋状球受溝２０ｂと第１右側螺旋状球受溝３０ｂは、共同して遊技球１００を受け止めることができる。
【００１６】
第２左側螺旋状球受溝２０ｃ及び第２右側螺旋状球受溝３０ｃは、後端から第２所定位置Ｐ２までは第１左側螺旋状球受溝２０ｂ及び第１右側螺旋状球受溝３０ｂと同一の大きな半径を有しており、また、第２所定位置Ｐ２に段差部２０ｅ，３０ｅが形成され、第２所定位置Ｐ２から前端までは小さな半径を有している。第２左側螺旋状球受溝２０ｃの大径部と第２右側螺旋状球受溝３０ｃの大径部との間隔は、遊技球１００の直径よりも小さな値に設定されており、第２左側螺旋状球受溝２０ｃの大径部と第２右側螺旋状球受溝３０ｃの大径部は、共同して遊技球１００を受け止めることができる。そして、第２左側螺旋状球受溝２０ｃの小径部と第２右側螺旋状球受溝３０ｃの小径部との間隔は、遊技球１００の直径よりも大きな値に設定されており、第２左側螺旋状球受溝２０ｃの小径部と第２右側螺旋状球受溝３０ｃの小径部は、共同して遊技球１００を落下させることができる。
【００１７】
第３左側螺旋状球受溝２０ｄ及び第３右側螺旋状球受溝３０ｄは、後端から第３所定位置Ｐ３までは第１左側螺旋状球受溝２０ｂ及び第１右側螺旋状球受溝３０ｂと同一の大きな半径を有しており、また、第３所定位置Ｐ３に段差部２０ｆ，３０ｆが形成され、第３所定位置Ｐ３から前端までは小さな半径を有している。第３左側螺旋状球受溝２０ｄの大径部と第３右側螺旋状球受溝３０ｄの大径部との間隔は、遊技球１００の直径よりも小さな値に設定されており、第３左側螺旋状球受溝２０ｄの大径部と第３右側螺旋状球受溝３０ｄの大径部は、共同して遊技球１００を受け止めることができる。そして、第３左側螺旋状球受溝２０ｄの小径部と第３右側螺旋状球受溝３０ｄの小径部との間隔は、遊技球１００の直径よりも大きな値に設定されており、第３左側螺旋状球受溝２０ｄの小径部と第３右側螺旋状球受溝３０ｄの小径部は、共同して遊技球１００を落下させることができる。
【００１８】
次に、上記のように構成された球移送装置１０の動作を説明する。
【００１９】
パチンコ遊技機の遊技時、球移送装置１０のピン２１は回転駆動され、左側円柱状回転体２０は図５図示矢印ａ方向に回転するとともに、歯車２２，３２及びピン３１を介して右側円柱状回転体３０は図５図示矢印ｂ方向に回転する。
【００２０】
遊技領域に発射された遊技球１００が上段通路部２，３に案内され、左側上段通路２と右側上段通路３との間隙に到達すると、この到達した遊技球１００は、この間隙を通って第１左側螺旋状球受溝２０ｂと第１右側螺旋状球受溝３０ｂとの組、または、第２左側螺旋状球受溝２０ｃと第２右側螺旋状球受溝３０ｃとの組、または、第３左側螺旋状球受溝２０ｄと第３右側螺旋状球受溝３０ｄとの組のいずれかの組により受け止められるようになる。
【００２１】
第１左側螺旋状球受溝２０ｂと第１右側螺旋状球受溝３０ｂとで受け止められた遊技球１００は、左側円柱状回転体２０及び右側円柱状回転体３０の回転に伴って前方へ移送されてゆき、第１所定位置Ｐ１まで移送されてきたとき第１所定位置Ｐ１から下段通路部４に落下する。
【００２２】
また、第２左側螺旋状球受溝２０ｃと第２右側螺旋状球受溝３０ｃとで受け止められた遊技球１００は、左側円柱状回転体２０及び右側円柱状回転体３０の回転に伴って前方へ移送されてゆき、第２所定位置Ｐ２まで移送されてきたとき第２所定位置Ｐ２から下段通路部４に落下する。
【００２３】
また、第３左側螺旋状球受溝２０ｄと第３右側螺旋状球受溝３０ｄとで受け止められた遊技球１００は、左側円柱状回転体２０及び右側円柱状回転体３０の回転に伴って前方へ移送されてゆき、第３所定位置Ｐ３まで移送されてきたとき第３所定位置Ｐ３から下段通路部４に落下する。
【００２４】
第１所定位置Ｐ１、第２所定位置Ｐ２及び第３所定位置Ｐ３の前後方向における位置関係は、第１所定位置Ｐ１が最前部に位置し、第２所定位置Ｐ２が最後部に位置し、第３所定位置Ｐ３が中間部に位置している。このため、遊技球１００が第１、第２、第３所定位置Ｐ１，Ｐ２，Ｐ３のいずれの位置から落下するかによってその後の遊技球１００の挙動に変化が生じるようになる。したがって、遊技者に十分な興趣を与えることが可能になる。
【００２５】
図６-１〜図６-３及び図７-１〜図７-３は、他の実施形態に係る球移送装置１０の動作を示している。
【００２６】
この球移送装置１０は、左側円柱状回転体２０の外周面が第１左側螺旋状球受溝２０ｂと第２左側螺旋状球受溝２０ｃとによって構成されるとともに、右側円柱状回転体３０の外周面が第１右側螺旋状球受溝３０ｂと第２右側螺旋状球受溝３０ｃとによって構成され、また、第２左側螺旋状球受溝２０ｃ側に段差部２０ｅが形成され、第２右側螺旋状球受溝３０ｃ側に段差部３０ｅが形成されていない点で上述した実施形態の球移送装置１０と構成が相違している。また、左右円柱状回転体２０，３０の前端位置つまり第１所定位置Ｐ１の近傍下方に入賞口２００が配置されており、第１左側螺旋状球受溝２０ｂと第１右側螺旋状球受溝３０ｂとで受け止められ第１所定位置Ｐ１まで移送されてきた遊技球１００は、第１所定位置Ｐ１から落下して入賞口２００へ入賞しやすくなっている。
【００２７】
この球移送装置１０の動作を説明すると、図６-１（Ａ），（Ｂ）に示すように、第１左側螺旋状球受溝２０ｂと第１右側螺旋状球受溝３０ｂとで受け止められた遊技球１００は、図６-２（Ａ），（Ｂ）に示すように、左側円柱状回転体２０及び右側円柱状回転体３０の回転に伴って前方へ移送されてゆき、図６-３（Ａ），（Ｂ）に示すように、第１所定位置Ｐ１まで移送されてきたとき第１所定位置Ｐ１から入賞口２００に向かって落下し、入賞口２００に高確率で入賞する。
【００２８】
一方、図７-１（Ａ），（Ｂ）に示すように、第２左側螺旋状球受溝２０ｃと第２右側螺旋状球受溝３０ｃとで受け止められた遊技球１００は、左側円柱状回転体２０及び右側円柱状回転体３０の回転に伴って前方へ移送されてゆき、図７-２（Ａ），（Ｂ）に示すように、第２所定位置Ｐ２まで移送されてきたとき第２所定位置Ｐ２から落下し、図７-３（Ａ），（Ｂ）に示すように、入賞口２００に入賞することなく落下する。
【００２９】
図８-１〜図８-３は、さらに他の実施形態に係る球移送装置１０の動作を示している。
【００３０】
この球移送装置１０は、第２右側螺旋状球受溝３０ｃ側に段差部３０ｅが形成され、第２左側螺旋状球受溝２０ｃ側に段差部２０ｅが形成されていない点で図６-１〜図６-３及び図７-１〜図７-３に示した実施形態と構成が相違しており、その他の点は、同様に構成されている。
【００３１】
この球移送装置１０の動作を説明すると、図８-１（Ａ），（Ｂ）に示すように、第２左側螺旋状球受溝２０ｃと第２右側螺旋状球受溝３０ｃとで受け止められた遊技球１００は、左側円柱状回転体２０及び右側円柱状回転体３０の回転に伴って前方へ移送されてゆき、図８-２（Ａ），（Ｂ）に示すように、第２所定位置Ｐ２まで移送されてきたとき第２所定位置Ｐ２から落下し、図８-３（Ａ），（Ｂ）に示すように、入賞口２００に入賞することなく落下する。なお、第１左側螺旋状球受溝２０ｂと第１右側螺旋状球受溝３０ｂとで受け止められた遊技球１００は、上記実施形態と同様、入賞口２００に高確率で入賞するようになる。
【００３２】
以上説明したように、各実施形態によるパチンコ遊技機の球移送装置１０は、遊技盤面の遊技領域内で落下してきた遊技球１００を受け止め、遊技盤面前方の所定位置まで移送した後、該所定位置で落下させるパチンコ遊技機の球移送装置１０であって、遊技盤面から前方へ突出するよう水平に並列配置された左右一対の円柱状回転体２０，３０を備え、左側円柱状回転体２０の外周面に少なくとも２つの第１、第２左側螺旋状球受溝２０ｂ，２０ｃが形成されているとともに、右側円柱状回転体３０の外周面に左側円柱状回転体２０の第１、第２左側螺旋状球受溝２０ｂ，２０ｃの螺旋方向とは反対の螺旋方向を有する少なくとも２つの第１、第２右側螺旋状球受溝３０ｂ，３０ｃが形成されており、第１左側螺旋状球受溝２０ｂ及び第１左側螺旋状球受溝２０ｂに対向配置された第１右側螺旋状球受溝３０ｂは、左側円柱状回転体２０及び右側円柱状回転体３０が互いに反対方向へ回転駆動される回転中、互いに共同して、落下してきた遊技球１００を遊技盤面寄りの位置で受け止め、遊技球１００を支持しながら遊技盤面前方の第１所定位置Ｐ１まで移送し、第１所定位置Ｐ１で落下させるよう構成され、また、第２左側螺旋状球受溝２０ｃ及び第２左側螺旋状球受溝２０ｃに対向配置された第２右側螺旋状球受溝３０ｃは、左側円柱状回転体２０及び右側円柱状回転体３０が互いに反対方向へ回転駆動される回転中、互いに共同して、落下してきた遊技球１００を遊技盤面寄りの位置で受け止め、遊技球１００を支持しながら遊技盤面前方の第２所定位置Ｐ２まで移送し、第２所定位置Ｐ２で落下させるよう構成される。
【００３３】
この球移送装置１０によると、遊技球１００を遊技盤面の前後方向へ移送する構成を採用したため、遊技領域の面積に対して球移送装置１０が占める面積の割合を小さくすることができ、遊技領域の設計自由度を高めることができる。また、球移送装置１０は、上記のような新規な構成であるため、技術の多様化を図ることができる。
【００３４】
また、第２左側螺旋状球受溝２０ｃ及び／又は第２右側螺旋状球受溝３０ｃは、第２所定位置Ｐ２において互いの間隙が遊技球の直径よりも大きくなる段差部２０ｅ及び／又は３０ｅを有しているため、この第２所定位置Ｐ２に移送されてきた遊技球１００は、段差部２０ｅ及び／又は３０ｅによって形成される間隙を介して落下するようになる。
【００３５】
第１所定位置Ｐ１及び第２所定位置Ｐ２は、下方の入賞口２００への遊技球１００の入賞確率を異ならせる位置にあるため、移送されてきた遊技球１００が第１所定位置Ｐ１に到達するのか、あるいは、第２所定位置Ｐ２に到達するのかによって、入賞口２００への入賞確率が異なることとなり、遊技者の興趣を高めることができる。
【００３６】
なお、上記実施形態では、遊技盤面の前後方向に遊技球を移送する構成としたが、遊技盤面に沿った方向に遊技球を移送する構成を採用しても技術の多様化を図ることができる。また、本明細書、特に特許請求の範囲に記載した左右方向とは、球移送装置を遊技盤面の正面側から見た場合に限定されるものではなく、遊技盤面の側面側から球移送装置を見た場合も含んでいる。
【図面の簡単な説明】
【００３７】
【図１】本発明の一実施形態に係る球移送装置を中央部に有する球通路装置の斜視図である。
【図２】球通路装置の平面図である。
【図３】球通路装置の正面図である。
【図４】球通路装置の右側面図である。
【図５】左右一対の円柱状回転体の斜視図である。
【図６−１】他の実施形態に係る球移送装置の動作説明図である。
【図６−２】同実施形態に係る球移送装置の動作説明図である。
【図６−３】同実施形態に係る球移送装置の動作説明図である。
【図７−１】同実施形態に係る球移送装置の動作説明図である。
【図７−２】同実施形態に係る球移送装置の動作説明図である。
【図７−３】同実施形態に係る球移送装置の動作説明図である。
【図８−１】さらに他の実施形態に係る球移送装置の動作説明図である。
【図８−２】同実施形態に係る球移送装置の動作説明図である。
【図８−３】同実施形態に係る球移送装置の動作説明図である。
【符号の説明】
【００３８】
１０    球移送装置
２０    左側円柱状回転体
２０ｂ    第１左側螺旋状球受溝
２０ｃ    第２左側螺旋状球受溝
２０ｅ    段差部
３０    右側円柱状回転体
３０ｂ    第１右側螺旋状球受溝
３０ｃ    第２右側螺旋状球受溝
３０ｅ    段差部
１００    遊技球
２００    入賞口
Ｐ１    第１所定位置
Ｐ２    第２所定位置
【図１】
2005111071.tif 000003
【図２】
2005111071.tif 000004
【図３】
2005111071.tif 000005
【図４】
2005111071.tif 000006
【図５】
2005111071.tif 000007
【図６−１】
2005111071.tif 000008
【図６−２】
2005111071.tif 000009
【図６−３】
2005111071.tif 000010
【図７−１】
2005111071.tif 000011
【図７−２】
2005111071.tif 000012
【図７−３】
2005111071.tif 000013
【図８−１】
2005111071.tif 000014
【図８−２】
2005111071.tif 000015
【図８−３】
2005111071.tif 000016